(57)【要約】【課題】既存のパーツにちょっとした工夫を加えて組み合わせることにより、セメント等の粉体を玄人並みのレベルで満遍なく混ぜ合わせることができる簡易混錬装置を提供する。【解決手段】上部が開放された円筒形の容器と円筒形の容器に入れたセメント等の紛体を混ぜ合わせる混錬具と混錬具を円筒形の容器に設置する支持プレートからなる簡易混錬装置であって、混錬具は、クランク状のハンドルの一方に一定角度で傾斜した複数の羽根を回転軸の周りに有する回転スクリュー、クランク状のハンドルの他方に回転スクリューを回転させるときに握る取っ手を備え、回転スクリューの各羽根に大小１組の補助プレートを付設することを特徴とする。【選択図】図１
0003177297.tif 000002
【実用新案登録請求の範囲】
【請求項１】
上部が開放された円筒形の容器と前記円筒形の容器に入れたセメント等の紛体を混ぜ合わせる混錬具と前記混錬具を前記円筒形の容器に設置する支持プレートとからなる簡易混錬装置であって、前記円筒形の容器は、上端のフランジ部に２個の突部を１８０度の直線位置上に設けることを特徴とする簡易混錬装置。
【請求項２】
上部が開放された円筒形の容器と前記円筒形の容器に入れたセメント等の紛体を混ぜ合わせる混錬具と前記混錬具を前記円筒形の容器に設置する支持プレートとからなる簡易混錬装置であって、前記混錬具は、クランク状のハンドルの一方に一定角度で傾斜した複数の羽根を回転軸の周りに有する回転スクリュー、クランク状のハンドルの他方に前記回転スクリューを回転させるときに握る取っ手を備え、前記回転スクリューの各羽根に大小１組の補助プレートを付設することを特徴とする簡易混錬装置。
【請求項３】
上部が開放された円筒形の容器と前記円筒形の容器に入れたセメント等の紛体を混ぜ合わせる混錬具と前記混錬具を前記円筒形の容器に設置する支持プレートとからなる簡易混錬装置であって、前記支持プレートは、中央に前記クランク状のハンドルを挿通する孔と両端に前記円筒形の容器のフランジ部に設けた２個の突部に係合する孔を備え、前記両端の孔を前記円筒形の容器の２個の突部に係合して支持プレートを固定し、前記中央の孔にクランク状のハンドルを挿通して前記混錬具を前記円筒形の容器に設置することを特徴とする簡易混錬装置。
【請求項４】
前記大小１組の補助プレートの内、大きい補助プレートは、一定角度で傾斜した羽根の高い位置に固定し、小さい補助プレートは、一定角度で傾斜した羽根の低い位置に固定することを特徴とする請求項２記載の簡易混錬装置。
【請求項５】
前記大きい補助プレートは、一定角度で傾斜した複数の羽根の高い位置に固定するときに、羽根の長さが前記円筒形の容器の半径と略等しくするとともに所定の角度を有することを特徴とする請求項４記載の簡易混錬装置。
【請求項６】
前記複数の羽根の高い位置に固定された大きい補助プレートの内、１枚のみが有する角度は、他の大きい補助プレートが有する角度と異なることを特徴とする請求項５記載の簡易混錬装置。
【請求項７】
前記小さい補助プレートは、一定角度で傾斜した複数の羽根の低い位置に固定するときに前記回転軸に近い位置から順に取り付けることを特徴とする請求項４記載の簡易混錬装置。
【請求項８】
前記複数の羽根の低い位置に固定された小さい補助プレートの内、前記回転軸に最も遠い位置に取り付けられた羽根の長さが前記円筒形の容器の半径と略等しくすることを特徴とする請求項７記載の簡易混錬装置。
【考案の詳細な説明】
【技術分野】
【０００１】
本考案は、セメント等の粉体を混ぜ合わせる混連装置に係り、詳しくは玄人並みのレベルで簡単にセメント等の粉体を混ぜ合わせることができる簡易混錬装置に関するものである。
【背景技術】
【０００２】
従来から、手作業でセメント等の粉体を混ぜ合わせるには、セメント用敷板の上、若しくはバケツ状の容器の中に、セメント、砂利、砂、水等を加え、鍬、スコップにより手動で混ぜ合わせるのが一般的であった（特許文献１）。
【先行技術文献】
【特許文献】
【０００３】
【特許文献１】特開平１０−６３２７号公報
【考案の概要】
【考案が解決しようとする課題】
【０００４】
しかしながら従来の混錬方法では、手動で鍬、スコップにより混ぜ合わせるため、十分に混ぜ合わせることができず、均一分散化されたセメントペーストを得ることが困難であった。また、家庭用の日曜大工程度の工事に、電動ミキサー等の機械を購入するには、経済上の大きな負担があった。
【０００５】
本考案は上記のような問題点に鑑みてなされたもので、既存のパーツにちょっとした工夫を加えて組み合わせることにより、セメント等の粉体を玄人並みのレベルで満遍なく混ぜ合わせることができる簡易混錬装置を提供することを目的とする。
【課題を解決するための手段】
【０００６】
上記目的を達成するため、請求項１の考案は、上部が開放された円筒形の容器と円筒形の容器に入れたセメント等の紛体を混ぜ合わせる混錬具と混錬具を円筒形の容器に設置する支持プレートとからなる簡易混錬装置であって、円筒形の容器は、上端のフランジ部に２個の突部を１８０度の直線位置上に設けることを特徴とするものである。
【０００７】
また、請求項２の考案は、上部が開放された円筒形の容器と円筒形の容器に入れたセメント等の紛体を混ぜ合わせる混錬具と混錬具を円筒形の容器に設置する支持プレートとからなる簡易混錬装置であって、混錬具は、クランク状のハンドルの一方に一定角度で傾斜した複数の羽根を回転軸の周りに有する回転スクリュー、クランク状のハンドルの他方に回転スクリューを回転させるときに握る取っ手を備え、回転スクリューの各羽根に大小１組の補助プレートを付設することを特徴とするものである。
【０００８】
また、請求項３の考案は、上部が開放された円筒形の容器と円筒形の容器に入れたセメント等の紛体を混ぜ合わせる混錬具と混錬具を円筒形の容器に設置する支持プレートとからなる簡易混錬装置であって、支持プレートは、中央にクランク状のハンドルを挿通する孔と両端に円筒形の容器のフランジ部に設けた２個の突部に係合する孔を備え、両端の孔を円筒形の容器の２個の突部に係合して支持プレートを固定し、中央の孔にクランク状のハンドルを挿通して混錬具を円筒形の容器に設置することを特徴とするものである。
【０００９】
また、請求項４の考案は、請求項２記載の簡易混錬装置であって、大小１組の補助プレートの内、大きい補助プレートは、一定角度で傾斜した羽根の高い位置に固定し、小さい補助プレートは、一定角度で傾斜した羽根の低い位置に固定することを特徴とするものである。
【００１０】
また、請求項５の考案は、請求項４記載の簡易混錬装置であって、大きい補助プレートは、一定角度で傾斜した複数の羽根の高い位置に固定するときに、羽根の長さが円筒形の容器の半径と略等しくするとともに所定の角度を有することを特徴とするものである。
【００１１】
また、請求項６の考案は、請求項５記載の簡易混錬装置であって、複数の羽根の高い位置に固定された大きい補助プレートの内、１枚のみが有する角度は、他の大きい補助プレートが有する角度と異なることを特徴とするものである。
【００１２】
また、請求項７の考案は、請求項４記載の簡易混錬装置であって、小さい補助プレートは、一定角度で傾斜した複数の羽根の低い位置に固定するときに回転軸に近い位置から順に取り付けることを特徴とするものである。
【００１３】
また、請求項８の考案は、請求項７記載の簡易混錬装置であって、複数の羽根の低い位置に固定された小さい補助プレートの内、回転軸に最も遠い位置に取り付けられた羽根の長さが円筒形の容器の半径と略等しくすることを特徴とするものである。
【考案の効果】
【００１４】
本考案によれば、上部が開放された円筒形の容器と円筒形の容器に入れたセメント等の紛体を混ぜ合わせる混錬具と混錬具を円筒形の容器に設置する支持プレートとからなる簡易混錬装置であって、上部が開放された円筒形の容器はバケツで代用でき、また、混錬具は、クランク状のハンドルの一方に一定角度で傾斜した複数の羽根を回転軸の周りに有する回転スクリューを備え、混錬具を構成するクランク状のハンドル、回転スクリューは既存のパーツであり、回転スクリューの各羽根に大小１組の補助プレートを付設することにより、円筒形の容器に入れたセメント等の粉体を玄人並みのレベルで満遍なく混ぜ合わせることができる簡易混錬装置を提供することが可能となる。
【００１５】
また、本考案によれば、大小１組の補助プレートの内、大きい補助プレートは、一定角度で傾斜した羽根の高い位置に固定し、固定したときに、羽根の長さを円筒形の容器の半径と略等しくするとともに所定の角度を有するようにちょっとした工夫を加えて組み合わせることにより、円筒形の容器に入れた中央部分のセメント等の粉体を満遍なく混ぜ合わせることができる簡易混錬装置を提供することが可能となる。
【００１６】
さらにまた、本考案によれば、大小１組の補助プレートの内、小さい補助プレートは、一定角度で傾斜した羽根の低い位置に固定し、固定したときに、回転軸に近い位置から順に取り付け、回転軸に最も遠い位置に取り付けられた羽根の長さを円筒形の容器の半径と略等しくすることにより、円筒形の容器に入れた底の部分のセメント等の粉体を満遍なく混ぜ合わせることができる簡易混錬装置を提供することが可能となる。
【図面の簡単な説明】
【００１７】
【図１】本考案による簡易混錬装置の実施例を示す全体の概略図である。
【図２】同上、混錬具の要部拡大図である。
【図３】同上、混錬具を容器に収めて上から見た状態を示す図である。
【図４】同上、使用状態を示す説明図である。
【考案を実施するための形態】
【実施例】
【００１８】
以下、添付の図面に従って本考案を詳細に説明する。図１において、１０は上部が開放された円筒形の容器で、上端にフランジ部１１が形成され、フランジ部１１には２個の突部１２、１２が１８０度の直線位置上に設けられる。
【００１９】
２０は、円筒形の容器１０に入れたセメント等の紛体を混ぜ合わせる混錬具で、既成品であるクランク状のハンドル２１、回転スクリュー２２、取っ手２３からなり、クランク状のハンドル２１の一方に回転スクリュー２２が螺着され、クランク状のハンドル２１の他方に回転スクリュー２２を回転させるときに握るための取っ手２３が設けられる。
【００２０】
３０は、混錬具２０を円筒形の容器１０に設置する支持プレートであり、中央にクランク状のハンドル２１を挿通する孔３１、両側に円筒形の容器１０のフランジ部１１に突設された２個の突部１２、１２に対応する孔３２、３２が設けられる。
【００２１】
混錬具２０を構成する回転スクリュー２２は、既成のもので代用でき、回転軸２４の周りに一定角度で傾斜した複数の羽根、本実施例では３枚の羽根２５ａ、２５ｂ、２５ｃを有する。
【００２２】
回転スクリュー２２の各羽根２５ａ、２５ｂ、２５ｃには、図２に示すように、大小１組の補助プレートが付設されており、大きい補助プレート２７ａ、２７ｂ、２７ｃは、一定角度で傾斜した各羽根２５ａ、２５ｂ、２５ｃの高い位置に固定され、小さい補助プレート２８ａ、２８ｂ、２８ｃは、一定角度で傾斜した各羽根２５ａ、２５ｂ、２５ｃの低い位置に固定される。
【００２３】
大きい補助プレート２７ａ、２７ｂ、２７ｃの長さは、図３に示すように、各羽根２５ａ、２５ｂ、２５ｃの高い位置に固定したときに、円筒形の容器１０の半径とほぼ同じ長さとなるようにする。また、大きい補助プレート２７ａ、２７ｂ、２７ｃは、所定の角度を有するが、大きい補助プレート２７ａ、２７ｂは、同じ向きに折り曲げられ、大きい補助プレート２７ｃは、逆の向きに折り曲げられている。
【００２４】
小さい補助プレート２８ａ、２８ｂ、２８ｃは、各羽根２５ａ、２５ｂ、２５ｃの低い位置に固定されるときに、回転軸２４に近い位置から順に取り付けられる。即ち、羽根２５ａに固定される小さい補助プレート２８ａは回転軸２３に最も近い位置、羽根２５ｂに固定される小さい補助プレート２８ｂは中間位置、羽根２５ｃに固定される小さい補助プレート２８ｃは回転軸２４から最も遠い位置に取り付けられる。
【００２５】
回転軸２４から最も遠い位置に取り付けられた小さい補助プレート２８ｃの長さは、図３に示すように、羽根２５ｃの低い位置に固定したときに、円筒形の容器１０の半径とほぼ同じ長さとなるようにする。
【００２６】
次に、本考案の簡易混錬装置を用いてセメント等の紛体を混ぜ合わせる手順を説明する。支持プレート３０の中央の孔３１に混錬具２０のハンドル２１を挿通し、ハンドル２１の一方に回転スクリュー２２を螺着し、他方に取っ手２３を設置する。
【００２７】
図４に示すように、支持プレート３０の両側の孔３２、３２を円筒形の容器１０のフランジ部１１に突設された２個の突部１２、１２に挿入し、支持プレートに保持された混錬具２０を円筒形の容器１０に設置する。支持プレート３０の両側の孔３２、３２を２個の突部１２、１２に挿入することにより、混錬具２０の回転スクリュー２２を回転させるときに支持プレート３０が動かないように固定することができる。
【００２８】
円筒形の容器１０に混錬具２０を設置したら、円筒形の容器１０の中に、セメント、砂利、砂、水等を加え、取っ手２３を持って回転スクリュー２２を回転すれば、円筒形の容器に入れたセメント、砂利、砂、水等を満遍なく混ぜ合わせることができる。
【００２９】
なお、回転スクリュー２２は既製品を利用する関係で、円筒形の容器１０のサイズに合わないことがある。攪拌性を良くするために、回転スクリュー２２を構成する各羽根２５ａ、２５ｂ、２５ｃに大小１組の補助プレートを付設し、円筒形の容器１０のサイズに合わせる
【００３０】
ひとつの実施例として、大きい補助プレート２７ａ、２７ｂ、２７ｃの長さは、各羽根２５ａ、２５ｂ、２５ｃの高い位置に固定したときに、円筒形の容器１０の半径とほぼ同じ長さとなるようにする。小さい補助プレート２８ａ、２８ｂ、２８ｃは、各羽根２５ａ、２５ｂ、２５ｃの低い位置に固定したときに、少なくともひとつの長さを円筒形の容器１０の半径とほぼ同じになるようにする。
【００３１】
また、円筒形の容器に入れた中央部分のセメント、砂利、砂、水等を満遍なく混ぜ合わせるために、大きい補助プレート２７ａ、２７ｂ、２７ｃと小さい補助プレート２８ａ、２８ｂ、２８ｃは、所定の角度を持たせて各羽根２５ａ、２５ｂ、２５ｃに固定している。一例として、大きい補助プレート２７ａ、２７ｂは、回転スクリュー２２が回転する方向に沿って同じ向きに折り曲げられているが、最後のひとつ２７ｃは、逆の向きに折り曲げられている。それによって、回転スクリュー２２が回転するときに、セメント、砂利、砂、水等を捏ねるようにして混ぜ合わせることができる。
【００３２】
小さい補助プレート２８ａ、２８ｂ、２８ｃは、回転スクリュー２２が回転する方向に沿って回転軸２４に近い位置から順に取り付けて、円筒形の容器に入れた底の部分のセメント、砂利、砂、水等を満遍なく混ぜ合わせるようにしている。
【００３３】
なお、大きい補助プレートの細部の構造、即ち、所定角度の大きさ、角度の向きは、図示に限定されるものではない。例えば、大きい補助プレート２７ａ、２７ｂ、２７ｃの所定角度の大きさ、角度の向きを変えたとしても、本考案の目的は達成される。同様に小さい補助プレートの取り付け位置も図示の位置から変えたとしても、本考案の目的は達成される。
【００３４】
なお、図に示してないが、混錬具２０を円筒形の容器１０に設置するにあたり、円筒形の容器１０の底部中央に突部を設け、混錬具２０の回転軸２４の下端に突部を受ける受部を設けると、混錬具２０をスムーズに回転させることができる。
【００３５】
以上説明したように、本考案の簡易混錬装置によれば、円筒形の容器、クランク状のハンドル、回転スクリュー等の既存のパーツにちょっとした工夫を加えて組み合わせることにより、円筒形の容器に入れたセメント等の粉体を玄人並みのレベルで満遍なく混ぜ合わせることができる簡易混錬装置を提供することが可能となる。
【符号の説明】
【００３６】
１０  円筒形の容器
１１  フランジ部
１２  突部
２０  混錬具
２１  クランク状のハンドル
２２  回転スクリュー
２３  取っ手
２４  回転軸
２５ａ、２５ｂ、２５ｃ  羽根
２７ａ、２７ｂ、２７ｃ  大きい補助プレート
２８ａ、２８ｂ、２８ｃ  小さい補助プレート
３０  支持プレート
３１  孔
３２  孔
【図１】
0003177297.tif 000003
【図２】
0003177297.tif 000004
【図３】
0003177297.tif 000005
【図４】
0003177297.tif 000006